(57)【特許請求の範囲】
【請求項１】
空調室内機に対応して個別に設置されるリモートコントローラであって、
ユーザが前記空調室内機を起動する際に開示する識別情報を取得して、前記空調室内機を起動する前記ユーザを特定する識別情報取得部と、
前記識別情報取得部が取得した前記識別情報を空調管理装置に送信する識別情報送信部と、
前記空調管理装置において前記識別情報が識別する前記ユーザの空調設定に基づいて生成された前記空調室内機の運転を指示する制御情報を、前記空調管理装置から受信する制御情報受信部と、
前記制御情報受信部が受信した前記制御情報に従って、前記空調室内機を制御する空調機制御部と、を備える、
リモートコントローラ。
【請求項２】
前記識別情報取得部は、ＲＦＩＤタグリーダであって、
前記識別情報は、前記ユーザが所持するＩＤカードに埋め込まれたＲＦＩＤタグが記憶する前記ユーザを識別するＩＤ情報である、
請求項１に記載のリモートコントローラ。
【請求項３】
前記識別情報取得部は、磁気カードリーダであって、
前記識別情報は、前記ユーザが所持する磁気カードに記憶された前記ユーザを識別するＩＤ情報である、
請求項１に記載のリモートコントローラ。
【請求項４】
前記識別情報取得部は、生体認証装置であって、
前記識別情報は、前記ユーザ固有の生体情報である、
請求項１に記載のリモートコントローラ。
【請求項５】
空調室内機に対応して個別に設置されるリモートコントローラにおいて生成される、ユーザが前記空調室内機を起動する際に開示される識別情報により特定されるユーザ情報を、前記リモートコントローラから受信する識別情報受信部と、
前記識別情報が識別する、前記ユーザに対応付けられた個人の空調設定を示す設定情報を記憶する設定情報記憶部と、
前記設定情報にもとづいて、前記空調室内機の運転を指示する制御情報を生成し、前記リモートコントローラに送信する制御情報送信部と、を備える、
空調管理装置。
【請求項６】
前記リモートコントローラから前記ユーザ情報のかわりに送信される前記空調室内機の起動を開始する操作情報を受信する操作情報受信部を備え、
前記制御情報送信部は、前記操作情報受信部が前記操作情報を受信すると、前回の起動時の空調設定と前回の運転終了時の空調設定とのどちらかでの運転を指示する制御情報を生成し、前記リモートコントローラに送信する、
請求項５に記載の空調管理装置。
【請求項７】
空調室内機に対応して個別に設置されるリモートコントローラにおいて生成される、ユーザが前記空調室内機を起動する際に開示される識別情報により特定されるユーザ情報を、前記リモートコントローラから受信する識別情報受信部と、
前記識別情報が識別する、前記ユーザに対応付けられた個人の空調設定を示す個人の設定情報と、デフォルトの空調設定を示す標準の設定情報と、を記憶する設定情報記憶部と、
前記設定情報記憶部が、前記識別情報が識別する、前記ユーザに対応付けられた個人の設定情報を記憶している場合には、当該個人の設定情報を用いて、前記空調室内機の運転を指示する制御情報を生成して前記リモートコントローラに送信し、前記設定情報記憶部が、前記識別情報が識別する、前記ユーザに対応付けられた個人の設定情報を記憶していない場合には、前記標準の設定情報を用いて、前記制御情報を生成して前記リモートコントローラに送信する制御情報送信部と、を備える、
空調管理装置。
【請求項８】
前記設定情報記憶部は、前記ユーザごとに、季節それぞれに対応する空調設定を記憶する、
請求項５から７のいずれか１項に記載の空調管理装置。
【請求項９】
前記設定情報記憶部は、前記ユーザごとの空調設定の変更の可否を記憶する、
請求項５から８のいずれか１項に記載の空調管理装置。
【発明の詳細な説明】
【技術分野】
【０００１】
本発明は、リモートコントローラおよび空調管理装置に関する。
【背景技術】
【０００２】
空調機は、家庭用・業務用に限らず、複数のユーザが各々好みの設定で使用する可能性がある。空調機を前回使用していたユーザの空調設定が、次に使用するユーザの所望の空調設定と異なる場合、設定を変更するために、リモコン上の運転モードや風向の切り替え、設定温度や風量の変更を行うボタンを何度も押さなければならないことがある。
【０００３】
このような設定変更の手間を省くため、特許文献１に記載のような、事前に運転条件を設定した短縮キーをリモコン上に備えることで操作性を改善する空調機が提案されている。
【先行技術文献】
【特許文献】
【０００４】
【特許文献１】特開２０１４−０２０６６０号公報
【発明の概要】
【発明が解決しようとする課題】
【０００５】
特許文献１に記載の技術は、リモコンの短縮キーにより運転条件の呼び出しを行うため、当該リモコンの操作対象外の空調機に対しては設定した運転条件の適用を容易に行うことができない。また、多数のユーザがそれぞれ個別の運転条件を設定しようとした場合、短縮キーの数が不足し、所望の運転条件を設定しきれない可能性がある。また、特許文献１に記載の技術は、操作するユーザを特定するものではない。
【０００６】
本発明は、上述のような事情に鑑みてなされたもので、空調機が１台以上あり、ユーザが複数存在する環境において、前回空調機が使用されていたときの設定に関わらず、ユーザは設定を変更する手間なく、容易に好みの設定で当該空調機を動作させることを可能にすることを目的とする。
【課題を解決するための手段】
【０００７】
上記目的を達成するため、本発明に係るリモートコントローラは、
空調室内機に対応して個別に設置されるリモートコントローラであって、
ユーザが前記空調室内機を起動する際に開示する識別情報を取得して、前記空調室内機を起動する前記ユーザを特定する識別情報取得部と、
前記識別情報取得部が取得した前記識別情報を空調管理装置に送信する識別情報送信部と、
前記空調管理装置において前記識別情報が識別する前記ユーザの空調設定に基づいて生成された前記空調室内機の運転を指示する制御情報を、前記空調管理装置から受信する制御情報受信部と、
前記制御情報受信部が受信した前記制御情報に従って、前記空調室内機を制御する空調機制御部と、を備える。
【発明の効果】
【０００８】
本発明によれば、制御情報受信部が、空調管理装置から、識別情報が識別するユーザの空調設定に基づいて生成された空調室内機の運転を指示する制御情報を受信すると、空調機制御部が、制御情報受信部が受信した制御情報に従って、空調室内機を制御する。これにより、ユーザは設定を変更する手間なく、容易に好みの設定で当該空調機を動作させることができる。
【図面の簡単な説明】
【０００９】
【図１】本発明の実施の形態に係る空調管理システムの構成例を示す図である。
【図２】実施の形態に係るリモートコントローラの構成例を示す図である。
【図３】実施の形態に係るリモートコントローラの外観の一例を示す図である。
【図４】実施の形態に係る空調設定コントローラの構成例を示す図である。
【図５】実施の形態に係るサーバの構成例を示す図である。
【図６】実施の形態に係るリモートコントローラの機能構成例を示す図である。
【図７】実施の形態に係る空調設定コントローラの機能構成例を示す図である。
【図８】実施の形態に係るサーバの機能構成例を示す図である。
【図９】実施の形態に係る設定情報の一例を示す図である。
【図１０】実施の形態に係る空調管理処理の動作の一例を示すフローチャートである。
【図１１】実施の形態に係る設定情報の他の例を示す図である。
【図１２】実施の形態に係るリモートコントローラの外観の他の例を示す図である。
【発明を実施するための形態】
【００１０】
以下に、本発明を実施するための形態について図面を参照して詳細に説明する。なお、図中同一または相当する部分には同じ符号を付す。本実施の形態では、室内機と室外機とを合わせて空調機という。
【００１１】
図１は、本発明の実施の形態に係る空調管理システムの構成例を示す図である。空調管理システム１００は、空調機のリモートコントローラ（以下、リモコンと略す）１０ａおよびリモコン１０ｂと、空調設定コントローラ２０と、室内機３０ａおよび室内機３０ｂと、室外機４０と、サーバ５０と、ハブ６０と、ユーザ端末７０とで構成される。リモコン１０ａおよびリモコン１０ｂと、空調設定コントローラ２０と、室内機３０ａおよび室内機３０ｂと、室外機４０とは、専用線でバス接続されている。室内機３０ａおよび室内機３０ｂは同じ構成であり、リモコン１０ａおよびリモコン１０ｂは同じ構成である。
【００１２】
空調設定コントローラ２０とサーバ５０とユーザ端末７０とはハブ６０を介してＬＡＮ(Local Area Network)で接続されている。室外機４０は、室内機３０ａおよび室内機３０ｂの共通の室外機である。リモコン１０ａおよびリモコン１０ｂはそれぞれ、室内機３０ａおよび室内機３０ｂに対応し、室内機３０ａおよび室内機３０ｂを制御する。
【００１３】
図２は、実施の形態に係るリモートコントローラの構成例を示す図である。リモコン１０ａ（リモコン１０ｂ）は、表示部１１、マイコン１２、入力部１３、通信部１４、読取部１５およびアンテナ１６で構成される。表示部１１は、液晶ディスプレイである。
【００１４】
マイコン１２は、インターフェース（以下、Ｉ／Ｆと略す）１２１、記憶部１２２および制御部１２３を含む。Ｉ／Ｆ１２１は、表示部１１、入力部１３、通信部１４および読取部１５と、マイコン１２とを接続する。記憶部１２２は、リモコンのファームウェア（以下、ＦＷと略す）を記憶するＲＯＭやＲＡＭ、前回の起動時の空調設定を示す情報等を記憶するフラッシュメモリ等で構成される。制御部１２３は、ＣＰＵ（Central Processing Unit）等で構成され、記憶部１２２が記憶するＦＷによってリモコン１０ａ（リモコン１０ｂ）を制御する。
【００１５】
入力部１３はプッシュスイッチである。入力部１３のプッシュスイッチには、空調機の電源のＯＮ／ＯＦＦを切り替える電源ボタンが含まれる。通信部１４は専用線との接続用Ｉ／Ｆである。読取部１５はＮＦＣ（Near Field Communication）通信ＩＣを含む電子回路である。アンテナ１６はＮＦＣ通信用パターンアンテナである。アンテナ１６および読取部１５は、ＲＦＩＤタグリーダである。
【００１６】
ユーザはＩＤカードを所持しており、ＩＤカードにはＲＦＩＤタグが埋め込まれている。ＲＦＩＤタグには、当該ユーザを識別するＩＤを示すＩＤ情報が記憶されている。ユーザがアンテナ１６付近にＩＤカードを近づけることにより、アンテナ１６および読取部１５がＲＦＩＤタグのＩＤ情報を読み取り、空調機の起動処理を開始する。つまり、空調機の起動操作には、電源ボタンの押下とＩＤカードを近づける操作とがある。
【００１７】
図３は、実施の形態に係るリモートコントローラの外観の一例を示す図である。リモコン１０ａ（リモコン１０ｂ）の筐体の外部には表示部１１と入力部１３が露出している。また、アンテナ１６は破線で表示する部分にあり、この部分にＮマーク（登録商標）等のＮＦＣ通信を行うためのリーダがあることを明確にする表示を行ってもよい。
【００１８】
図１の空調設定コントローラ２０は、空調機の温度や風向き等の設定を指示する制御情報をリモコン１０ａ（リモコン１０ｂ）に送信する。リモコン１０ａ（リモコン１０ｂ）は、空調設定コントローラ２０からの指示に従って、室内機３０ａ（室内機３０ｂ）を制御する。室外機４０の動作は、室内機３０ａおよび室内機３０ｂの動作と連動している。
【００１９】
図４は、実施の形態に係る空調設定コントローラの構成例を示す図である。空調設定コントローラ２０は、表示部２１、マイコン２２、入力部２３、第１通信部２４、第２通信部２５、第２記憶部２６および外部Ｉ／Ｏ２７で構成される。表示部２１は、タッチパネル式液晶ディスプレイである。
【００２０】
マイコン２２は、Ｉ／Ｆ２２１、第１記憶部２２２および制御部２２３を含む。Ｉ／Ｆ２２１は、表示部２１、入力部２３、第１通信部２４、第２通信部２５、外部記憶部２６および外部Ｉ／Ｏ２７と、マイコン２２とを接続する。第１記憶部２２２は、空調設定コントローラ２０のＦＷを記憶するＲＯＭやＲＡＭ、フラッシュメモリ等で構成される。制御部２２３は、ＣＰＵ等で構成され、第１記憶部２２２が記憶するＦＷによって空調設定コントローラ２０を制御する。
【００２１】
入力部２３は表示部２１のタッチパネルである。第１通信部２４は専用線との接続用Ｉ／Ｆである。第２通信部２５はＬＡＮとの接続用Ｉ／Ｆである。第２記憶部２６は、表示装置駆動用のＳＤＲＡＭや、管理対象の空調機の一覧情報等を記憶するための不揮発性メモリで構成される。外部Ｉ／Ｏ２７はＦＷの書込や更新といった空調設定コントローラ２０の保守等を行うためのＩ／Ｆである。
【００２２】
図５は、実施の形態に係るサーバの構成例を示す図である。サーバ５０は、処理装置５１、通信部５２、第２記憶部５３および外部Ｉ／Ｏ５４で構成される。
【００２３】
処理装置５１は、Ｉ／Ｆ５１１、第１記憶部５１２および制御部５１３を含む。Ｉ／Ｆ５１１は、通信部５２、第２記憶部５３および外部Ｉ／Ｏ５４と、処理装置５１とを接続する。第１記憶部５１２は、サーバ５０のＦＷを記憶するＲＯＭやＲＡＭ、フラッシュメモリ等で構成される。制御部５１３は、ＣＰＵ等で構成され、第１記憶部５１２が記憶するＦＷによってサーバ５０を制御する。
【００２４】
通信部５２はＬＡＮとの接続用Ｉ／Ｆである。第２記憶部５３は、揮発性メモリや、サーバプログラムやユーザ情報等を記憶する不揮発性メモリで構成される。外部Ｉ／Ｏ５４はＵＳＢやＤ−Ｓｕｂといった入出力用Ｉ／Ｆである。
【００２５】
続いて、リモコン１０ａ（リモコン１０ｂ）、空調設定コントローラ２０、サーバ５０の機能構成について説明する。
【００２６】
図６は、実施の形態に係るリモートコントローラの機能構成例を示す図である。リモコン１０ａ（リモコン１０ｂ）は、ＩＤ読取部１０１と、ＩＤ情報送信部１０２と、操作情報送信部１０３と、制御情報受信部１０４と、前回情報記憶部１０５と、空調機制御部１０６とを備える。ユーザがＩＤカードを近づける操作で空調機を起動した場合、ＩＤ読取部１０１は、ユーザのＩＤ情報を取得し、空調機の起動操作を行ったユーザを特定する。ＩＤ読取部１０１は、取得したＩＤ情報をＩＤ情報送信部１０２に送る。ＩＤ情報送信部１０２は、ＩＤ読取部１０１から受け取ったＩＤ情報を空調設定コントローラ２０に送信する。
【００２７】
一方、ユーザが電源ボタンの押下で空調機を起動した場合、操作情報送信部１０３は、空調機が起動されたことを示す操作情報を空調設定コントローラ２０に送信する。操作情報にはＩＤ情報が含まれない。空調機の起動操作を、リモコン１０ａ（リモコン１０ｂ）にＩＤカードを近づける操作のみとする場合には、操作情報送信部１０３はなくてもよい。
【００２８】
図７は、実施の形態に係る空調設定コントローラの機能構成例を示す図である。空調設定コントローラ２０は、ＩＤ情報受信部２０１、ＩＤ情報送信部２０２と、設定情報受信部２０３と、制御情報送信部２０４と、操作情報受信部２０５とを備える。ＩＤ情報受信部２０１は、リモコン１０ａ（リモコン１０ｂ）からＩＤ情報を受信する。ＩＤ情報受信部２０１は、受信したＩＤ情報をＩＤ情報送信部２０２に送る。ＩＤ情報送信部２０２は、ＩＤ情報受信部２０１から受け取ったＩＤ情報をサーバ５０に送信する。
【００２９】
図８は、実施の形態に係るサーバの機能構成例を示す図である。サーバ５０は、ＩＤ情報受信部５０１と、設定情報記憶部５０２と、設定情報送信部５０３とを備える。ＩＤ情報受信部５０１は、空調設定コントローラ２０からＩＤ情報を受信する。ＩＤ情報受信部５０１は、受信したＩＤ情報を設定情報送信部５０３に送る。設定情報記憶部５０２は、空調機の温度や風向き等の設定を示す設定情報を記憶する。設定情報にユーザのＩＤに対応付けられた個人の設定情報と、デフォルトの空調設定を示す標準の設定情報とがある。
【００３０】
設定情報送信部５０３は、ＩＤ情報受信部５０１から受け取ったＩＤ情報が示すＩＤに対応する個人の設定情報が設定情報記憶部５０２にある場合には、個人の設定情報を読み出す。設定情報送信部５０３は、ＩＤ情報受信部５０１から受け取ったＩＤ情報が示すＩＤに対応する個人の設定情報が設定情報記憶部５０２にない場合には、標準の設定情報を読み出す。設定情報送信部５０３は、読み出した設定情報を空調設定コントローラ２０に送信する。
【００３１】
図９は、実施の形態に係る設定情報の一例を示す図である。設定情報記憶部５０２が記憶する設定情報は、ユーザを識別する「ＩＤ」と、ユーザの名前を示す「ユーザ名」と空調機の運転モードの設定を示す「運転モード」と、温度の設定を示す「温度」と、除湿機能の設定を示す「除湿」と、風速の設定を示す「風速」と、風向の設定を示す「風向」との項目からなる。なお、「ＩＤ」が０１の設定情報は、個人の設定情報ではなく標準の設定情報である。ユーザを識別する情報であれば、「ＩＤ」および「ユーザ名」のいずれか１項目のみでもよい。
【００３２】
このような設定情報は、図１のユーザ端末７０を用いて、ユーザがサーバ５０にアクセスし、ユーザのＩＤを入力してログインする。ユーザは、空調設定画面を表示させ、所望の空調設定を入力する。サーバ５０は入力された空調設定をユーザのＩＤと対応付けて設定情報記憶部５０２に記憶する。
【００３３】
ここでは、サーバ５０上ではＨＴＴＰサーバが動作しており、ユーザがユーザ端末７０にインストールされたＷｅｂブラウザを用いてＨＴＴＰサーバに接続し、空調設定の登録および更新を行うことを想定している。これに限らず、例えば専用のアプリケーションを用意し、当該アプリケーションから設定を行えるようにしてもよいし、ユーザがサーバ５０に直接ユーザのＩＤと空調設定とを入力してもよい。直接入力する場合は、図１の空調管理システム１００において、ユーザ端末７０はなくてもよい。
【００３４】
図７に示す空調設定コントローラ２０の設定情報受信部２０３は、サーバ５０から設定情報を受信する。設定情報受信部２０３は、受信した設定情報を制御情報送信部２０４に送る。設定情報受信部２０３から受け取った設定情報が個人の設定情報である場合、制御情報送信部２０４は、個人の設定情報が示す、ユーザの空調設定での運転を指示する制御情報を生成する。設定情報受信部２０３から受け取った設定情報が標準の設定情報である場合、制御情報送信部２０４は、標準の設定情報が示す、デフォルトの空調設定での運転を指示する制御情報を生成する。
【００３５】
一方、操作情報受信部２０５がリモコン１０ａ（リモコン１０ｂ）から操作情報を受信した場合、受信した操作情報を制御情報送信部２０４に送る。制御情報送信部２０４は、操作情報受信部２０５から操作情報を受け取ると、前回の空調設定での運転を指示する制御情報を生成する。制御情報送信部２０４は、生成した制御情報をリモコン１０ａ（リモコン１０ｂ）に送信する。空調機の起動操作を、リモコン１０ａ（リモコン１０ｂ）にＩＤカードを近づける操作のみとする場合には、操作情報受信部２０５はなくてもよい。
【００３６】
図６に示すリモコン１０ａ（リモコン１０ｂ）の制御情報受信部１０４は、空調設定コントローラ２０から制御情報を受信する。制御情報受信部１０４は、受信した制御情報を空調機制御部１０６に送る。前回情報記憶部１０５は、前回の起動時の空調設定を示す前回情報を記憶する。空調機制御部１０６は、設定情報受信部２０３から受け取った制御情報の指示に従って、室内機３０ａ（室内機３０ｂ）を制御する。
【００３７】
設定情報受信部２０３から受け取った制御情報が、前回の空調設定での運転を指示する制御情報である場合には、空調機制御部１０６は、前回情報記憶部１０５から前回情報を読み出し、前回の空調設定になるように室内機３０ａ（室内機３０ｂ）を制御する。設定情報受信部２０３から受け取った制御情報が、ユーザの空調設定での運転を指示する制御情報である場合には、空調機制御部１０６は、ユーザの空調設定になるように室内機３０ａ（室内機３０ｂ）を制御する。設定情報受信部２０３から受け取った制御情報が、デフォルトの空調設定での運転を指示する制御情報である場合には、空調機制御部１０６は、デフォルトの空調設定になるように室内機３０ａ（室内機３０ｂ）を制御する。
【００３８】
空調機制御部１０６は、設定情報受信部２０３から受け取った制御情報が、ユーザの空調設定またはデフォルトの空調設定での運転を指示する制御情報であった場合には、受け取った制御情報を前回情報として前回情報記憶部１０５に上書き保存する。
【００３９】
リモコン１０ａ（リモコン１０ｂ）のＩＤ読取部１０１、ＩＤ情報送信部１０２、操作情報送信部１０３、制御情報受信部１０４、前回情報記憶部１０５および空調機制御部１０６の処理は、ファームウェアが、表示部１１、マイコン１２、入力部１３、通信部１４、読取部１５およびアンテナ１６等を資源として用いて処理することによって実行する。空調設定コントローラ２０のＩＤ情報受信部２０１、ＩＤ情報送信部２０２、設定情報受信部２０３、制御情報送信部２０４および操作情報受信部２０５の処理は、ファームウェアが、表示部２１、マイコン２２、入力部２３、第１通信部２４、第２通信部２５、第２記憶部２６および外部Ｉ／Ｏ２７等を資源として用いて処理することによって実行する。サーバ５０のＩＤ情報受信部５０１、設定情報記憶部５０２および設定情報送信部５０３の処理は、ファームウェアが、処理装置５１、通信部５２、第２記憶部５３および外部Ｉ／Ｏ５４等を資源として用いて処理することによって実行する。
【００４０】
図１０は、実施の形態に係る空調管理処理の動作の一例を示すフローチャートである。空調管理処理は、リモコン１０ａ（１０ｂ）と、空調設定コントローラ２０と、サーバ５０とが起動すると開始する。
【００４１】
空調機の起動処理が開始すると、ＩＤ情報送信部１０２または操作情報送信部１０３はそれぞれ、ＩＤ情報または操作情報を空調設定コントローラ２０に送信する（ステップＳ１１）。
【００４２】
空調設定コントローラ２０のＩＤ情報受信部２０１または操作情報受信部２０５はそれぞれ、リモコン１０ａ（リモコン１０ｂ）からＩＤ情報または操作情報を受信する（ステップＳ２１）。ＩＤ情報受信部２０１がＩＤ情報を受信した場合には（ステップＳ２２；ＹＥＳ）、ＩＤ情報をＩＤ情報送信部２０２に送る。ＩＤ情報送信部２０２は、ＩＤ情報受信部２０１から受け取ったＩＤ情報をサーバ５０に送信する（ステップＳ２３）。
【００４３】
サーバ５０のＩＤ情報受信部５０１は、空調設定コントローラ２０からＩＤ情報を受信する（ステップＳ３１）。ＩＤ情報受信部５０１は、受信したＩＤ情報を設定情報送信部５０３に送る。設定情報送信部５０３は、ＩＤ情報受信部５０１から受け取ったＩＤ情報が示すＩＤに対応する個人の設定情報が設定情報記憶部５０２にある場合には（ステップＳ３２；ＹＥＳ）、個人の設定情報を読み出す（ステップＳ３３）。設定情報送信部５０３は、ＩＤ情報受信部５０１から受け取ったＩＤ情報が示すＩＤに対応する個人の設定情報が設定情報記憶部５０２にない場合には（ステップＳ３２；ＮＯ）、標準の設定情報を読み出す（ステップＳ３４）。設定情報送信部５０３は、読み出した設定情報を空調設定コントローラ２０に送信し（ステップＳ３５）、処理を終了する。
【００４４】
空調設定コントローラ２０の設定情報受信部２０３は、サーバ５０から設定情報を受信する（ステップＳ２４）。設定情報受信部２０３は、受信した設定情報を制御情報送信部２０４に送る。設定情報受信部２０３から受け取った設定情報が個人の設定情報である場合（ステップＳ２５；ＹＥＳ）、制御情報送信部２０４は、個人の設定情報が示す、ユーザの空調設定での運転を指示する制御情報を生成する（ステップＳ２６）。設定情報受信部２０３から受け取った設定情報が個人の設定情報でない場合（標準の設定情報である場合）（ステップＳ２５；ＮＯ）、制御情報送信部２０４は、標準の設定情報が示す、デフォルトの空調設定での運転を指示する制御情報を生成する（ステップＳ２７）。
【００４５】
一方、ＩＤ情報受信部２０１がＩＤ情報を受信しない場合（操作情報受信部２０５が操作情報を受信した場合）（ステップＳ２２；ＮＯ）、操作情報受信部２０５は、受信した操作情報を制御情報送信部２０４に送る。制御情報送信部２０４は、操作情報受信部２０５から操作情報を受け取ると、前回の空調設定での運転を指示する制御情報を生成する（ステップＳ２８）。制御情報送信部２０４は、生成した制御情報をリモコン１０ａ（リモコン１０ｂ）に送信し（ステップＳ２９）、処理を終了する。
【００４６】
リモコン１０ａ（リモコン１０ｂ）の制御情報受信部１０４は、空調設定コントローラ２０から制御情報を受信する（ステップＳ１２）。制御情報受信部１０４は、受信した制御情報を空調機制御部１０６に送る。空調機制御部１０６は、設定情報受信部２０３から受け取った制御情報の指示に従って、室内機３０ａ（室内機３０ｂ）を制御し（ステップＳ１３）、処理を終了する。
【００４７】
空調機の起動操作を、リモコン１０ａ（リモコン１０ｂ）にＩＤカードを近づける操作のみとする場合には、ステップＳ１１でリモコン１０ａ（リモコン１０ｂ）のＩＤ情報送信部１０２は、ＩＤ情報を空調設定コントローラ２０に送信する。ステップＳ２１で空調設定コントローラ２０のＩＤ情報受信部２０１は、リモコン１０ａ（リモコン１０ｂ）からＩＤ情報を受信する（ステップＳ２１）。この場合、ステップＳ２２およびステップＳ２８は、なくてもよい。
【００４８】
以上説明したように実施の形態の空調管理システム１００によれば、空調機が１台以上あり、ユーザが複数存在する環境において、ユーザごとの空調設定を登録しておいて、操作したユーザを特定することにより、前回空調機が使用されていたときの設定に関わらず、ユーザは設定を変更する手間なく、容易に好みの設定で当該空調機を動作させることができる。
【００４９】
上述の実施の形態では、停止中の空調機に対して、ユーザがリモコン１０ａ（リモコン１０ｂ）を介して起動操作を行うが、これに限らない。運転中の空調機に対しても、ユーザがリモコン１０ａ（リモコン１０ｂ）のアンテナ１６にＩＤカードを近づける操作を行うことで、空調設定の変更を行うことが可能な構成にしてもよい。この場合の処理の動作を図１０のフローチャートを参照して説明する。リモコン１０ａ（リモコン１０ｂ）のＩＤ情報送信部１０２は、空調機の運転中に、ＩＤカードを近づける操作がなされると、ＩＤ情報を空調設定コントローラ２０に送信する（ステップＳ１１）。空調設定コントローラ２０のＩＤ情報受信部２０１が、リモコン１０ａ（リモコン１０ｂ）からＩＤ情報を含む操作情報を受信すると（ステップＳ２１、ステップＳ２２；ＹＥＳ）、ＩＤ情報送信部２０２は、ＩＤ情報をサーバ５０に送信する（ステップＳ２３）。サーバ５０は、ステップＳ３１〜ステップＳ３５の処理を実行する。
【００５０】
空調設定コントローラ２０の設定情報受信部２０３は、サーバ５０からユーザの設定情報を受信すると（ステップＳ２４、ステップＳ２５；ＹＥＳ）、制御情報送信部２０４は、ユーザの空調設定での運転を指示する制御情報を生成し（ステップＳ２６）、リモコン１０ａ（リモコン１０ｂ）に送信する（ステップＳ２９）。リモコン１０ａ（リモコン１０ｂ）の制御情報受信部１０４が空調設定コントローラ２０から制御情報を受信すると（ステップＳ１２）、空調機制御部１０６は、設定情報受信部２０３が受信した制御情報の指示に従って、室内機３０ａ（室内機３０ｂ）の空調設定をユーザの空調設定に変更する（ステップＳ１３）。
【００５１】
上述の実施の形態では、設定情報に登録されたユーザごとの空調設定は１つであるが、これに限らない。例えば、季節ごとに空調設定を変えてもよい。また、空調設定の変更の可否を設定してもよい。
【００５２】
図１１は、実施の形態に係る設定情報の他の例を示す図である。設定情報記憶部５０２が記憶する設定情報は、図９に示す「ＩＤ」、「ユーザ名」、「運転モード」、「温度」、「除湿」、「風速」および「風向」の項目に加え、季節の分類を示す「季節」と、空調設定の変更の可否を示す「変更」とが含まれる。なお、ここでも「ＩＤ」が０１の設定情報は、個人の設定情報ではなく標準の設定情報である。ユーザを識別する情報であれば、「ＩＤ」および「ユーザ名」のいずれか１項目のみでもよい。
【００５３】
図１１の例の設定情報では、ユーザごとに春夏秋冬それぞれの空調設定が登録されている。例えば、「ＩＤ」が０１の標準の設定情報では、夏および冬の空調設定は、ユーザによって変更可能であるが、春および秋の空調設定は、ユーザによって変更不可である。また、「ＩＤ」が０２の個人（山田  太郎）の設定情報では、春および秋の「運転モード」が設定不可となっている。このように、項目ごとに設定の可否をあらかじめ決めてもよい。
【００５４】
このようにユーザによる季節ごとの空調設定を可能にすることにより、使用される運転モードが切り替わる季節の変わり目に、いちいちサーバにログインして自分の空調設定を変更する必要がなくなり、より利便性が向上する。また、季節ごとにユーザによる空調設定の変更を制限することにより、管理が容易になる。なお、区切る期間は季節ごとに限らず、例えば月ごとであってもよい。設定情報に「季節」のような区切る期間の項目を追加する場合には、空調設定コントローラ２０またはリモコン１０ａ（リモコン１０ｂ）がタイマおよびカレンダを備え、現在の季節や月を判断する。
【００５５】
また、ユーザの使用できる機能制限方法はこれに限らず、例えば、ユーザを管理ユーザや一般ユーザ、ゲストユーザ等のランクに分類し、ランクに応じて設定を変更可能な項目に制限を設けるようにしてもよい。あるいは、場所に応じて制限を設けてもよい。機能制限のかけ方を細かく調整することにより、管理の幅を広げることができる。
【００５６】
上述の実施の形態では、リモコン１０ａ（リモコン１０ｂ）は、読取部１５およびアンテナ１６を備え、アンテナ１６および読取部１５はユーザが所持するＩＤカードのＩＤ情報を読み取るが、これに限らない。例えば、読取部１５は磁気カードリーダでもよい。この場合、ユーザは、当該ユーザを識別するＩＤを示すＩＤ情報が記憶されている磁気カードを所持する。ユーザが読取部１５（磁気カードリーダ）に磁気カードを通すことにより、読取部１５がＩＤ情報を読み取り、空調機を起動する。この構成では、リモコン１０ａ（リモコン１０ｂ）は、アンテナ１６を備えない。
【００５７】
図１２は、実施の形態に係るリモートコントローラの外観の他の例を示す図である。リモコン１０ａ（リモコン１０ｂ）の筐体の外部には表示部１１と入力部１３と読取部１５（磁気カードリーダ）とが露出している。図１２に示すように、リモコン１０ａ（リモコン１０ｂ）の筐体の読取部１５（磁気カードリーダ）の部分に隣接して、磁気カードをスライドさせる方向を表示してもよい。
【００５８】
これにより、ユーザの管理を磁気カードで行っている環境においても、本発明を適用できる。なお、読取部１５はこれに限らず、例えば、ユーザの管理方法として生体認証を導入している環境においては、読取部１５を生体認証装置に変更し、ユーザを識別するＩＤ情報の代わりにユーザ固有の生体情報を用いてもよい。ユーザを識別する識別情報がＩＤ情報である場合もユーザ固有の生体情報である場合も、ＩＤ読取部１０１はユーザを特定するための識別情報を取得することができる。
【００５９】
上述の実施の形態では、リモコン１０ａ（リモコン１０ｂ）が前回情報を記憶するが、これに限らず、前回情報は空調設定コントローラ２０が記憶してもよい。この場合、制御情報送信部２０４は、操作情報受信部２０５から操作情報を受け取ると、前回情報を読み出し、前回の空調設定での運転を指示する制御情報を生成する。また、前回情報は、前回の起動時の空調設定を示す情報に限らず、前回の運転終了時の空調設定を示す情報でもよい。また、空調設定コントローラ２０の制御情報送信部２０４は、リモコン１０ａ（リモコン１０ｂ）を介さず、空調機に直接制御信号を送信してもよい。
【００６０】
上述の実施の形態では、空調設定コントローラ２０とサーバ５０とをそれぞれ別のハードウェアとして説明したが、一つのハードウェア上で両方の機能を実現する構成であってもよい。また、リモコン１０ａ（リモコン１０ｂ）と空調設定コントローラ２０とサーバ５０との機能を一つのハードウェア上で実現する構成であってもよい。
【００６１】
また、上述の機能を、ＯＳ（Operating System）とアプリケーションとの分担、またはＯＳとアプリケーションとの協同により実現する場合等には、ＯＳ以外の部分のみを媒体に格納してもよい。
【００６２】
さらに、搬送波に各プログラムを重畳し、通信ネットワークを介して配信することも可能である。例えば、通信ネットワーク上の掲示板（BBS,Bulletin Board System）に当該プログラムを掲示し、ネットワークを介して当該プログラムを配信してもよい。そして、これらのプログラムを起動し、ＯＳの制御下で、他のアプリケーションプログラムと同様に実行することにより、上述の処理を実行できるように構成してもよい。
【符号の説明】
【００６３】
１０ａ，１０ｂ  リモートコントローラ（リモコン）、１１  表示部、１２  マイコン、１３  入力部、１４  通信部、１５  読取部、１６  アンテナ、２０  空調設定コントローラ、２１  表示部、２２  マイコン、２３  入力部、２４  第１通信部、２５  第２通信部、２６  第２記憶部、２７  外部Ｉ／Ｏ、３０ａ，３０ｂ  室内機、４０  室外機、５０  サーバ、５１  処理装置、５２  通信部、５３  第２記憶部、５４  外部Ｉ／Ｏ、６０  ハブ、７０  ユーザ端末、１００  空調管理システム、１０１  ＩＤ読取部、１０２  ＩＤ情報送信部、１０３  操作情報送信部、１０４  制御情報受信部、１０５  前回情報記憶部、１０６  空調機制御部、２０１  ＩＤ情報受信部、２０２  ＩＤ情報送信部、２０３  設定情報受信部、２０４  制御情報送信部、２０５  操作情報受信部、５０１  ＩＤ情報受信部、５０２  設定情報記憶部、５０３  設定情報送信部。
【図１】
0006544959.tif 000002
【図２】
0006544959.tif 000003
【図３】
0006544959.tif 000004
【図４】
0006544959.tif 000005
【図５】
0006544959.tif 000006
【図６】
0006544959.tif 000007
【図７】
0006544959.tif 000008
【図８】
0006544959.tif 000009
【図９】
0006544959.tif 000010
【図１０】
0006544959.tif 000011
【図１１】
0006544959.tif 000012
【図１２】
0006544959.tif 000013